(57)【要約】【課題】ＣＰＵと、メモリと、表示素子を有し、使用開始前処理を実行してから正常使用可能となるＩＣカードにおいて、使用開始前処理を実行したか否かを表示素子で表示することを特徴とするＩＣカードを提供する。【解決手段】ＩＣカードが使用開始前処理が行われたかどうかを動作確認する必要が無く、そのＩＣカードを目視しただけで判断でき、イニシャライズやパーソナライズがされていないＩＣカードが流通する事故を防止することがが容易になったＩＣカードを提供する。【選択図】  図１
2011028691.tif 000002
【特許請求の範囲】
【請求項１】
ＣＰＵと、メモリと、表示素子を有し、使用開始前処理を実行してから正常使用可能となるＩＣカードにおいて、使用開始前処理を実行したか否かを表示素子で表示することを特徴とするＩＣカード。
【請求項２】
使用開始前処理が複数の使用前動作からなり、どの使用前動作を実行した段階かを表示することを特徴とする請求項１記載のＩＣカード。
【請求項３】
使用前動作がイニシャライズとパーソナライズとからなることを特徴とする請求項２記載のＩＣカード。
【請求項４】
使用開始前処理を実行したか否かを表示する表示素子と、正常使用で用いられる表示素子とが同一であることを特徴とする請求項１から３何れか記載のＩＣカード。
【請求項５】
使用開始前処理を実行したか否かを表示する表示素子と、正常使用で用いられる表示素子とが異なることを特徴とする請求項１から３何れか記載のＩＣカード。
【請求項６】
使用開始前処理を実行したか否かを表示する表示素子が電子ペーパーであることを特徴とする請求項５記載のＩＣカード。
【請求項７】
使用開始前処理を実行したか否かをアプリケーション毎に表示することを特徴とする請求項１から６何れか記載のＩＣカード。
【請求項８】
外部との通信を行うアンテナを有する非接触ＩＣカードであることを特徴とする請求項１から７何れか記載のＩＣカード。
【請求項９】
外部との通信を行うアンテナと、ＣＰＵと、メモリと、表示素子を有する非接触ＩＣカードが、使用開始前処理を行った場合、使用開始前処理の実行を前記表示素子で表示することを特徴とする非接触ＩＣカードの使用開始前処理方法。
【請求項１０】
使用開始前処理が複数の使用前動作からなり複数あり、どの使用前動作を実行した段階化を表示することを特徴とする請求項９記載のＩＣカードの使用開始前処理方法。
【請求項１１】
使用前動作がイニシャライズとパーソナライズとからなることを特徴とする請求項１０記載のＩＣカードの使用開始前処理方法。
【請求項１２】
使用開始前処理を実行したか否かを表示する表示素子と、正常使用で用いられる表示素子とが同一であることを特徴とする請求項９から１１何れか記載のＩＣカードの使用開始前処理方法。
【請求項１３】
使用開始前処理を実行したか否かを表示する表示素子と、正常使用で用いられる表示素子とが異なることを特徴とする請求項９から１１何れか記載のＩＣカードの使用開始前処理方法。
【請求項１４】
使用開始前処理を実行したか否かを表示する表示素子が電子ペーパーであることを特徴とする請求項１３記載のＩＣカードの使用開始前処理方法。
【請求項１５】
使用開始前処理を実行したか否かをアプリケーション毎に表示することを特徴とする請求項９から１４何れか記載のＩＣカードの使用開始前処理方法。
【請求項１６】
外部との通信を行うアンテナを有する非接触ＩＣカードであることを特徴とする請求項９から１５何れか記載のＩＣカードの使用開始前処理方法。
【発明の詳細な説明】
【技術分野】
【０００１】
この発明は、アプリケーションを格納するある記憶領域に個別情報を含むデータ要素が書き込まれ、発行されるＩＣカードおよびそのＩＣカードの使用開始前処理方法に係るものである。
【背景技術】
【０００２】
従来、ＩＣカードは、その使用開始時にいくつかの処理を必要としていた。例えば、ＩＣカード内のメモリ領域にには、システム領域にシステムデータが入っている状態で工場から出荷されるのが通常であり、この状態のことを０次発行とも称する。
【０００３】
しかし、このＩＣカードのメモリにはシステムデータしか存在しないので、実際にシステム領域以外の領域であるファイル領域については、そのフォーマット処理なども何もなされていない状態である。
【０００４】
ここで、実際のＩＣカードに必要な処理であるファイル領域のフォーマットと、ＩＣカードの利用に共通して必要な共通データをインストールする。なお、この共通データには、アプリケーションソフトなどを含むのが一般的である。このような、ファイル領域のフォーマットと共通データをインストールを併せてイニシャライズと称したり、1次処理と称したりする。
【０００５】
しかし、この状態ではそのＩＣカードの個々の特定や処理は行えない状態になっており、まだＩＣカード本来の使い方はできない状態である。
【０００６】
この様なイニシャライズ済みのＩＣカードに対して、ＩＣカードの個々の特定や処理に必要なデータをダウンロードする行為をパーソナライズと称したり、２次発行と称したりする。
【０００７】
この様なパーソナライズを行ったＩＣカードになって、各種アプリケーション、例えば、キャッシュカードやクレジットカードで代表される様な金融系カード、定期券や残高式乗車券などの交通系カード、住民基本台帳カードや保険証カードや運転免許証やパスポートなどの公共系カードとして実際に金銭授受や証明などが可能になる。
【先行技術文献】
【特許文献】
【０００８】
【特許文献１】特開２００１−２４３１１８号公報
【特許文献２】特開平１１−２５０２０４号公報
【発明の概要】
【発明が解決しようとする課題】
【０００９】
しかし、イニシャライズやパーソナライズは、フォーマットやダウンロードという電気的処理であるので、実際にどのような処理が個々のカードについて行われているか否かについては、外観上イニシャライズやパーソナライズを行っているＩＣカードとイニシャライズやパーソナライズを行っていないＩＣカードでは同じで、区別することができなかった。
【００１０】
この結果、イニシャライズやパーソナライズを行っているＩＣカードとイニシャライズやパーソナライズを行っていないＩＣカードが混在する現象が発生してしまい、誤ってイ
ニシャライズが行われていないＩＣカードや、パーソナライズが行われていないＩＣカードが最終使用者に渡ってしまう事故が発生していた。
【課題を解決するための手段】
【００１１】
本発明における請求項１記載の発明では、前記課題を解決するため、まず、請求項１では、ＣＰＵと、メモリと、表示素子を有し、使用開始前処理を実行してから正常使用可能となるＩＣカードにおいて、使用開始前処理を実行したか否かを表示素子で表示することを特徴とするＩＣカードを提供するものである。
【００１２】
また、請求項２記載の発明では、使用開始前処理が複数の使用前動作からなり、どの使用前動作を実行した段階かを表示することを特徴とする請求項１記載のＩＣカードを提供するものである。
【００１３】
また、請求項３記載の発明では、使用前動作がイニシャライズとパーソナライズとからなることを特徴とする請求項２記載のＩＣカードを提供するものである。
【００１４】
また、請求項４記載の発明では、使用開始前処理を実行したか否かを表示する表示素子と、正常使用で用いられる表示素子とが同一であることを特徴とする請求項１から３何れか記載のＩＣカードを提供するものである。
【００１５】
また、請求項５記載の発明では、使用開始前処理を実行したか否かを表示する表示素子と、正常使用で用いられる表示素子とが異なることを特徴とする請求項１から３何れか記載のＩＣカードを提供するものである。
【００１６】
また、請求項６記載の発明では、使用開始前処理を実行したか否かを表示する表示素子が電子ペーパーであることを特徴とする請求項５記載のＩＣカードを提供するものである。
【００１７】
また、請求項７記載の発明では、使用開始前処理を実行したか否かをアプリケーション毎に表示することを特徴とする請求項１から６何れか記載のＩＣカードを提供するものである。
【００１８】
また、請求項８記載の発明では、外部との通信を行うアンテナを有する非接触ＩＣカードであることを特徴とする請求項１から７何れか記載のＩＣカードを提供するものである。
【００１９】
また、請求項９記載の発明では、外部との通信を行うアンテナと、ＣＰＵと、メモリと、表示素子を有する非接触ＩＣカードが、使用開始前処理を行った場合、使用開始前処理の実行を前記表示素子で表示することを特徴とする非接触ＩＣカードの使用開始前処理方法を提供するものである。
【００２０】
また、請求項１０記載の発明では、使用開始前処理が複数の使用前動作からなり複数あり、どの使用前動作を実行した段階化を表示することを特徴とする請求項９記載のＩＣカードの使用開始前処理方法を提供するものである。
【００２１】
また、請求項１１記載の発明では、使用前動作がイニシャライズとパーソナライズとからなることを特徴とする請求項１０記載のＩＣカードの使用開始前処理方法を提供するものである。
【００２２】
また、請求項１２記載の発明では、使用開始前処理を実行したか否かを表示する表示素
子と、正常使用で用いられる表示素子とが同一であることを特徴とする請求項９から１１何れか記載のＩＣカードの使用開始前処理方法を提供するものである。
【００２３】
また、請求項１３記載の発明では、使用開始前処理を実行したか否かを表示する表示素子と、正常使用で用いられる表示素子とが異なることを特徴とする請求項９から１１何れか記載のＩＣカードの使用開始前処理方法を提供するものである。
【００２４】
また、請求項１４記載の発明では、使用開始前処理を実行したか否かを表示する表示素子が電子ペーパーであることを特徴とする請求項１３記載のＩＣカードの使用開始前処理方法を提供するものである。
【００２５】
また、請求項１５記載の発明では、使用開始前処理を実行したか否かをアプリケーション毎に表示することを特徴とする請求項９から１４何れか記載のＩＣカードの使用開始前処理方法を提供するものである。
【００２６】
また、請求項１６記載の発明では、外部との通信を行うアンテナを有する非接触ＩＣカードであることを特徴とする請求項９から１５何れか記載のＩＣカードの使用開始前処理方法を提供するものである。
【発明の効果】
【００２７】
請求項１および９に係る発明では、ＩＣカードが使用開始前処理が行われたかどうかを動作確認する必要が無く、そのＩＣカードを目視しただけで判断でき、イニシャライズやパーソナライズがされていないＩＣカードが流通する事故を防止することがが容易になったＩＣカードを提供することが可能になった効果がある。
【００２８】
請求項２および１０に係る発明では、さらに使用前処理がどの段階までなされているかを動作確認する必要が無く、そのＩＣカードを目視しただけで判断でき、イニシャライズやパーソナライズなどのうち必要な処理だけを追加実施することが可能になった効果がある。
【００２９】
請求項３および１１に係る発明では、ＩＣカードに共通した使用前処理をイニシャライズとし、個別対応が必要な処理をパーソナライズとすることにより、イニシャライズを一括処理もしくは定型的処理とすることができ、個別処理をパーソナライズだけにすることで、使用前処理の処理負担や認証等の手間が係るパーソナライズにおいて処理する必要のない使用前処理をイニシャライズとすることで、効率のよい使用前処理が可能になったとともに、パーソナライズを最後に行うことで、輸送中のＩＣカードの盗難事故などに対して、発行直前まで個人情報等を保護できる効果がある。
【００３０】
請求項４および１２に係る発明では、使用開始後には必要のない表示素子をわざわざ設ける必要がなくなった効果がある。
【００３１】
請求項５および１３に係る発明では、使用開始前処理を実行したか否かを示すだけなので、色彩変化の様な単純な構成の表示素子で対応可能であり、安価な表示素子の使用で対応することが可能になった効果がある。
【００３２】
請求項６および１４に係る発明では、表示素子が電子ペーパーなので、使用開始後において消費電力を必要とせず表示を維持することができ、ＩＣカード本来の動作に支障のない表示素子の使用で対応することが可能になった効果がある。
【００３３】
請求項７および１５に係る発明では、複数のアプリケーションをインストール可能なＩ
Ｃカードにおいて、どのアプリケーションが利用できるかを動作確認などでいちいち確認する必要なく安心して使用することが可能になった効果がある。
【００３４】
請求項８および１６に係る発明では、非接触ＩＣカードであるので、接触式ＩＣカードと異なり通信状態が維持されている保障がなく、本当に使用前処理が完了したかどうかを確認できるので、特にその効果が高いものである。
【図面の簡単な説明】
【００３５】
【図１】非接触ＩＣカードの表面と内部構成を示す図。
【図２】図１とは別な非接触ＩＣカードの表面を示す平面図。
【図３】本発明に用いられる電子ペーパーの断面図である。
【図４】本発明に用いられる電子ペーパーのマイクロカプセルの拡大断面図である。
【図５】本発明に用いられる電子ペーパーの画像表示の原理を説明するものであり、（ａ）は表示画面の斜視図、（ｂ）はイ部の異なる荷電粒子を用い画像表示層に電界を印加した状態を説明する部分拡大破断斜視図である。
【図６】本発明に用いられる電子ペーパーの、図５の例とは異なり１種類の荷電粒子を用い画像表示層に電界を印加した状態を説明する部分拡大破断斜視図である。
【図７】本発明に用いられる電子ペーパーの、異なる電荷を有する荷電粒子を用いたマイクロカプセルでカラー表示をするためにカラーフィルタを設けた場合の構成断面図である。
【図８】図１や図２とは別な非接触ＩＣカードの表面を示す平面図。
【発明を実施するための形態】
【００３６】
以下、この発明の実施の形態について図面を参照して説明する。
【００３７】
図１は、この実施の形態に係わるＩＣカードが非接触ＩＣカードである場合の概観を概略的に示す図である。
【００３８】
この非接触ＩＣカード１０にはシステムＬＳＩ１１が埋設されており、このシステムＬＳＩ１１はループアンテナ１４と電子ペーパー１２が接続されており、これらの動作はシステムＬＳＩ１１で行い、ループアンテナ１４を介して外部と無線通信可能であるとともに、外部から給電可能である。
【００３９】
このシステムＬＳＩ１１は、ＣＰＵ、ＲＯＭ、ＲＡＭ、受信回路、送信回路、受電部の各機能を実現する。
【００４０】
図２は、図１とは異なる、この実施の形態に係わる非接触ＩＣカード２０の概観を概略的に示す平面図である。
【００４１】
内部構造は、上記実施の形態と同様であり、電子ペーパー２２が非接触ＩＣカード２００の通常のカード面領域２５から外れる縁部に設けられている点で異なる。
【００４２】
非接触ＩＣカードの電子ペーパー３１は、紙、プラスチック等の可撓性を有する基材３２上に、電極フィルム３３、画像表示層３５、電極フィルム３４及びこの表示部を保護する表面保護層３６が積層されている。なお、表面保護層３６は省略することも可能であるが、防犯灯の場合屋外で使用されるので省略しないのが好ましい。
【００４３】
電極フィルム３３はポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム３４も同様な基材の電極が形成されてなるもの
であるが、必ずしも透明性は要求されない。
【００４４】
電極の方式は任意のものを選択可能であるが、下記のようなマイクロカプセル型電気泳動方式を用いる場合は、電極フィルム３３は全面に同一の電位がかかる共通電極とし、電極フィルム３４にはアクティブマトリックス電極、セグメント電極等による電極を採用することができる。また、必要に応じて逆でも良く、両方ライン状のマトリックス構成でも構わない。
【００４５】
画像表示層３５にマイクロカプセル型電気泳動方式に用いた場合の構成について説明する。
【００４６】
マイクロカプセル４０の一例を図４に示す。マイクロカプセル４０は、メタクリル酸樹脂、ユリア樹脂、アラビアゴム等をカプセル殻４１とし、内部には酸化チタンからなる白の粒子４３とカーボンブラックからなる黒の粒子４４が、シリコーンオイル等の粘性の高い分散媒で分散され封入されている。白の粒子である酸化チタンは正電荷を帯びており、一方黒の粒子であるカーボンブラックは負電荷を帯びている。
【００４７】
このため、図５（ｂ）に示すように、二つの電極フィルム５１、５２に電界を印加して、電極フィルム５１が負極、電極フィルム５２が正極になった場合、正に帯電した白の粒子５３が電極フィルム５１側に引かれ、黒の粒子５４が電極フィルム５２側に引かれるので、少なくとも電極フィルム５１を透明電極としておき、電極フィルム５１側の上方から観察するとその部分が白く見える。
【００４８】
逆に電極フィルム５１が正極、電極フィルム５２が負極になった場合、正に帯電した白の粒子５３が電極フィルム５２側に引かれ、黒の粒子５４が電極フィルム５１側に引かれるので、電極フィルム５１の上方から観察するとその部分が黒く見える。
【００４９】
画像表示層３５は、このようなマイクロカプセル４０を多数有しており、電極フィルム３３、３４の各アドレス電極の電界を制御することで、図５（ａ）で「Ａ」という文字を黒で表示したように、所望の文字や図形を白と黒の画素で表示させることができる。
【００５０】
上記の例に於いては、マイクロカプセルは白黒の２種類の粒子を含有させたモノクロ（白黒）の表示であるが、粒子の位置を電位のかけ方で多段階に調整することで中間調の表示を行うこと、異なる色の粒子を含有させてカラー表示させる或いは２種類以上の粒子を含有させることなども可能である。
【００５１】
また、上記のマイクロカプセルでは白黒の２種類の粒子を含有させているが、１種類の粒子を用い、分散媒を黒に着色させることでもモノクロ（白黒）表示を実現することができる。
【００５２】
すなわち、図６に示すように白の粒子である酸化チタンを正電荷に帯電させ、黒に着色した分散媒６４に分散させたマイクロカプセルを用い、二つの電極フィルム６１、６２に電界を印加して、電極フィルム６１が負極、電極フィルム６２が正極になった場合、正に帯電した白の粒子６３が電極フィルム６１側に引かれ、黒に着色した分散媒６４は必然的に６２の電極フィルム側に押し下げられるので、電極フィルム６１側の上方から観察するとその部分が白く見える。逆に、電極フィルム６１が正極、電極フィルム６２が負極になった場合、正に帯電した白の粒子６３が電極フィルム６２側に引かれ、黒に着色した分散媒６４は必然的に電極フィルム６１側に押し上げられるので、電極フィルム６１側の上方から観察するとその部分が黒に見える。
【００５３】
マイクロカプセルをアクティブマトリックス駆動法で駆動する場合は、電極フィルム６２は画素電極として画素毎に独立してパターニングされ、図示しない薄膜トランジスタ、信号電極、および走査電極を併設し、電極フィルム６１は光透過性基材上に一様に形成された透明な共通電極とする。この場合、電極フィルム６１を共通電極にすると全面同一電位になるので、電極フィルム６２側の各アドレス電極の電界を制御することで、上記の原理に基づき電極位置のマイクロカプセル内の粒子を移動させ、所望の画像を表示させることができる。
【００５４】
同様に、電極フィルム６２を共通電極とし（電位をゼロとする）、電極フィルム６１側の各アドレス電極の電界を制御する（正または負の電位を与える）ことで、電極位置のマイクロカプセル内の粒子を移動させることで所望の画像を表示させるようにしてもよい。
【００５５】
時分割駆動の場合は、電極フィルム６１、６２は互いに直交するライン状のＩＴＯ（Ｉｎｄｉｕｍ  Ｔｉｎ  Ｏｘｉｄｅ：インジウムスズ）等の透明導電体からなる透明電極により構成され、両電極の交わる領域にマイクロカプセルを形成する。
【００５６】
もちろん、駆動方式は上述したものに限定されず、用途に応じて最適なものを選択すればよい。
【００５７】
マイクロカプセルの径は、種々のものを採用することが可能だが、約４０μｍ〜約１００μｍのものを採用すると十分な解像度と応答性を得ることができる。表示画像の解像度は主として電極フィルム中の電極の配置（解像度）に依存するが、マイクロカプセルの径が小さければ分散媒中のマイクロカプセルの移動速度が速くなり、結果として表示の際の応答性に優れる（応答速度が速い）というメリットがある。
【００５８】
上記の例では、モノクロ（白黒）の画像表示の例であるが、カラー画像表示の場合には図７に示すように画素単位に分割されたＲ（赤），Ｇ（緑），Ｂ（青）の色を有するカラーフィルタ７７を画素単位で電界を印加することができる透明な電極フィルム７４側に設けることで実現できる。
【００５９】
すなわち、白い粒子が電極フィルム７４側に引かれている部分の観察光は白粒子で反射されカラーフィルタを通過してくるので、カラーフィルタの色が観察されることになる。
【００６０】
図７の例では、カラーフィルタのＲ画素部及びＧ画素部は白い粒子が電極フィルム７４の透明電極側に引かれているのでＲ光及びＧ光が観察され、カラーフィルタのＢ画素部は黒い粒子が電極フィルム７３の透明電極側に引かれているので観察光は吸収されＢ光は観察されない。このように、画素単位で観察されるＲ，Ｇ，Ｂ光を制御することでカラー画像表示が可能となる。なお、図７では電極７３を共通電極としているが、電極７４側を共通電極としても良い。
【００６１】
ペーパー状電子ディスプレイは可撓性を有する材料で作製され、電極等のパターニングも印刷法、蒸着法でプラスチックフィルムに形成することが可能である。表示画面サイズも、用途、要望に応じて任意のサイズのものを作成することができる。また、フィルムを用いて作製されているため嵩張らず軽い表示媒体であり、本発明の表示媒体として好適に用いることが可能である。
【００６２】
画像表示層７５においては、マイクロカプセル７１の位置配置は多少の変動があっても表示に問題は生じない。従って、折り曲げて使用したり、曲面の箇所に取付けて使用することなども可能である。
【００６３】
各粒子は粘性の高い分散媒に分散されており、一度電界を印加した後は電源が切断されても粒子の位置が変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００６４】
したがって電極シート３３、３４を含め、電子ペーパー３１全体を薄く可撓性を持たせる材料を用いることで、紙のような柔軟性を持たせることができるので、ＩＣカードが撓んだ場合でも対応可能となる。
【００６５】
また、黒い粒子４４のカーボンブラックは、通常の印刷を行うインクと同じ材料であるので、極めて紙の印刷物に近い自然な表示を行うことが可能となる。
【００６６】
以下、この非接触ＩＣカードにおける使用開始前処理について説明する。
【００６７】
この実施の形態では、使用開始前処理がイニシャライズとパーソナライズの二つの使用前動作からなる場合で以下説明する。
【００６８】
使用開始前処理を行う以前は、非接触ＩＣカードの電子ペーパーは赤色の表示となっている。
【００６９】
次に、イニシャライズを行うと、電子ペーパーは黄色の表示になっている。このイニシャライズを行ったあとでパーソナライズを行うと、白色の表示になっている。以下、この電子ペーパーの色が変わることがなく、この電子ペーパーは電力の供給が一切なくとも白色を維持し続ける。
【００７０】
なお、使用前動作が３段階以上からなれば、表示される色の数を適宜増やすことにより、どの段階まで使用前動作が実行されたか分かる。また、カードデザインにより使用開始前処理前、イニシャライズ後、使用開始前処理完了後の色について適宜選択可能であり、電子ペーパーが白黒などの単色表示の場合、色分けに代えて処理段階を表示する文字表示や記号表示、模様などの絵柄表示で代用することも可能である。
【００７１】
この様に、表示素子は各種のものが使用できるが、電子ペーパーは電力の供給が一切なくとも色や表示を維持し続けることができるので、好ましい。
【００７２】
図８は、図１や図２とは異なる、この実施の形態に係わる非接触ＩＣカード８０の概観を概略的に示す平面図である。
【００７３】
内部構造は、上記実施の形態と同様であり、電子ペーパーが正常使用で用いられる通常の表示素子８３を兼ねる点で異なる。
【符号の説明】
【００７４】
１０  非接触ＩＣカード
１１  システムＬＳＩ
１２  電子ペーパー
１４  ループアンテナ
２０  非接触ＩＣカード
２２  電子ペーパー
２５  通常のカード面領域
３１  電子ペーパー
３２  基材
３３  電極フィルム
３４  電極フィルム
３５  画像表示層
３６  保護層
４０  マイクロカプセル
４１  カプセル殻
４２  分散媒
４３  白の粒子
４４  黒の粒子
５０  電子ペーパー
５１  電極フィルム
５２  電極フィルム
５３  白の粒子
５４  黒の粒子
６１  電極フィルム
６２  電極フィルム
６３  白の粒子
６４  分散媒
７１  マイクロカプセル
７２  反射層
７３  電極シート
７４  電極シート
７５  高分子樹脂層
７７  カラーフィルタ
８０  非接触ＩＣカード
８３  表示部
【図１】
2011028691.tif 000003
【図２】
2011028691.tif 000004
【図３】
2011028691.tif 000005
【図４】
2011028691.tif 000006
【図５】
2011028691.tif 000007
【図６】
2011028691.tif 000008
【図７】
2011028691.tif 000009
【図８】
2011028691.tif 000010